(57)【要約】【課題】口頸部１１を起立した容器本体Ａと、口頸部１１に内嵌させる中蓋Ｂと、口頸部１１に外嵌させる外蓋Ｃとを備えた密閉容器であって、充填時の口頸部位置に付着する飛散液の洗浄を極力広範囲に行うことができ、中蓋のフランジと容器本体の口頸部との間に飛散液が残存するのを極力防止できる密閉容器を提案することを目的とする。【解決手段】上記中蓋Ｂは、口頸部１１の内周に密嵌するシール筒２０と、シール筒２０を下面周縁部より垂設して口頸部１１の上端開口を閉塞する頂板２１と、頂板２１外周より口頸部１１上に延設したフランジ２２とを備え、口頸部１１に対するシール筒２０の所定嵌合位置での係止が可能な係止手段を備えるとともに、フランジ２２下面に洗浄領域拡大用の凹陥部２４を形成したことを特徴とする。【選択図】図１
2014234180.tif 000002
【特許請求の範囲】
【請求項１】
口頸部（１１）を起立した容器本体（Ａ）と、口頸部（１１）に内嵌させる中蓋（Ｂ）と、口頸部（１１）に外嵌させる外蓋（Ｃ）とを備えた密閉容器であって、
上記中蓋（Ｂ）は、口頸部（１１）の内周に密嵌するシール筒（２０）と、シール筒（２０）を下面周縁部より垂設して口頸部（１１）の上端開口を閉塞する頂板（２１）と、頂板（２１）外周より口頸部（１１）上に延設したフランジ（２２）とを備え、
口頸部（１１）に対するシール筒（２０）の所定嵌合位置での係止が可能な係止手段を備えるとともに、フランジ（２２）下面に洗浄領域拡大用の凹陥部（２４）を形成したことを特徴とする密閉容器。
【請求項２】
上記洗浄領域拡大用の凹陥部（２４）を、フランジ（２２）の基端部下面を除くフランジ（２２）の外周縁下面全周にわたって環状に形成された環状凹陥部（２４ａ）として構成し、
上記係止手段を、洗浄領域拡大用の凹陥部（２４）形成部分以外のフランジ（２２）基端部下面と、該フランジ（２２）基端部下面を当接係止させる口頸部（１１）上面とで構成した請求項１に記載の密閉容器。
【請求項３】
上記洗浄領域拡大用の凹陥部（２４）を、フランジ（２２）の基端部下面を除くフランジ（２２）の外周縁下面全周にわたって放射状に形成した複数の放射状凹陥部（２４ｂ）として構成し、                                                                  上記係止手段を、洗浄領域拡大用の凹陥部（２４）形成部分以外のフランジ（２２）基端部下面及び各放射状凹陥部（２４ｂ）間のフランジ（２２）下面と、これら洗浄領域拡大用の凹陥部（２４）形成部分以外のフランジ（２２）下面を当接係止させる口頸部（１１）上面とで構成した請求項１に記載の密閉容器。
【請求項４】
中蓋（Ｂ）のフランジ（２２）の外周面より、外周縁を外蓋（Ｃ）の周壁（３０）内周に当接或いは近接する環状の突出部（２５）を設けた請求項１乃至請求項３のいずれか１項に記載の密閉容器。
【請求項５】
中蓋（Ｂ）の頂板（２１）に変形防止用の凸部（２６）を形成した請求項１乃至請求項４のいずれか１項に記載の密閉容器。
【請求項６】
容器本体（Ａ）内に高温の収容物を充填後、中蓋（Ｂ）を嵌着し、しかる後シャワー洗浄を行なう密閉容器である請求項１乃至請求項５のいずれか１項に記載の密閉容器。
【発明の詳細な説明】
【技術分野】
【０００１】
本発明は密閉容器に関し、詳しくは、収容物を高温状態で充填する密閉容器に関する。
【背景技術】
【０００２】
密閉容器として、容器本体と、容器本体の開口部に内嵌される中蓋と、容器本体の開口部に外嵌される外蓋とを具備するものが種々提案されている。（例えば、特許文献１参照）。
【０００３】
上記特許文献１に記載された密閉容器に於ける中蓋は、容器本体の上端開口を閉塞する本体部と、本体部外周より延設し、容器本体上面に当接載置されるフランジ部と、本体部下面周縁部より垂設し、容器本体内周上端部に嵌着する環状の舌片部とを備えており、舌片部を特殊構成の弾性率及び特殊構成の厚みとすることで、良好な密閉性の維持を図っている。
【０００４】
また、外蓋は容器本体の口頸部外周に周壁を螺着した伏せ皿状をなす。
【先行技術文献】
【特許文献】
【０００５】
【特許文献１】特開２０１３−２３２２１号公報
【発明の概要】
【発明が解決しようとする課題】
【０００６】
上記した密閉容器は、例えば殺菌等の目的で、収容物を高温で充填する場合が多々あり、その際充填液が容器本体の口頸部開口部分に飛散して開口部分の周囲を汚損する虞がある。そこで、中蓋を装着後に汚損部分をシャワー洗浄することが行なわれているが、従来では、中蓋のフランジ部が容器本体の口頸部上面を大部分被覆して装着されているため、中蓋装着時に中蓋のフランジ部と容器本体の口頸部上面との間に飛散液が挟持され、シャワー洗浄を行なっても挟持部分にそのまま残存するという不都合が生じる虞がある。
【０００７】
本発明は上記した点に鑑みてなされたもので、飛散液の洗浄を極力広範囲に行うことができ、中蓋のフランジと容器本体の口頸部との間に飛散液が残存するのを極力防止できる密閉容器を提案することを目的とする。また、高温液の充填により容器本体の内圧が高くなった場合でも、中蓋の変形を防止してシール部分のシール性の低下を引き起こすことがなく、良好なシール性を維持できるという効果を併せて発揮する密閉容器を提案することを目的とする。
【課題を解決するための手段】
【０００８】
第１の手段として、以下の通り構成した。即ち、
口頸部１１を起立した容器本体Ａと、口頸部１１に内嵌させる中蓋Ｂと、口頸部１１に外嵌させる外蓋Ｃとを備えた密閉容器であって、
上記中蓋Ｂは、口頸部１１の内周に密嵌するシール筒２０と、シール筒２０を下面周縁部より垂設して口頸部１１の上端開口を閉塞する頂板２１と、頂板２１外周より口頸部１１上に延設したフランジ２２とを備え、
口頸部１１に対するシール筒２０の所定嵌合位置での係止が可能な係止手段を備えるとともに、フランジ２２下面に洗浄領域拡大用の凹陥部２４を形成したことを特徴とする。
【０００９】
第２の手段として、以下の通り構成した。即ち、前記第１の手段に於いて、
上記洗浄領域拡大用の凹陥部２４を、フランジ２２の基端部下面を除くフランジ２２の外周縁下面全周にわたって環状に形成された環状凹陥部２４ａとして構成し、
上記係止手段を、洗浄領域拡大用の凹陥部２４形成部分以外のフランジ２２基端部下面と、該フランジ２２基端部下面を当接係止させる口頸部１１上面とで構成した。
【００１０】
第３の手段として、以下の通り構成した。即ち、前記第１の手段に於いて、
上記洗浄領域拡大用の凹陥部２４を、フランジ２２の基端部下面を除くフランジ２２の外周縁下面全周にわたって放射状に形成した複数の放射状凹陥部２４ｂとして構成し、  上記係止手段を、洗浄領域拡大用の凹陥部２４形成部分以外のフランジ２２基端部下面及び各放射状凹陥部２４ｂ間のフランジ２２下面と、これら洗浄領域拡大用の凹陥部２４形成部分以外のフランジ２２下面を当接係止させる口頸部１１上面とで構成した。
【００１１】
第４の手段として、以下の通り構成した。即ち、第１の手段乃至第３の手段のいずれかの手段に於いて、
中蓋Ｂのフランジ２２の外周面より、外周縁を外蓋Ｃの周壁３０内周に当接或いは近接する環状の突出部２５を設けた。
【００１２】
第５の手段として、以下の通り構成した。即ち、前記第１の手段乃至第４の手段のいずれかの手段に於いて、
中蓋Ｂの頂板２１に変形防止用の凸部２６を形成した。
【００１３】
第６の手段として、以下の通り構成した。即ち、前記第１の手段乃至第５の手段のいずれかの手段において、
容器本体Ａ内に高温の収容物を充填後、中蓋Ｂを嵌着し、しかる後シャワー洗浄を行なう密閉容器である。
【発明の効果】
【００１４】
本発明は、中蓋Ｂがそのフランジ２２下面に洗浄領域拡大用の凹陥部２４を形成しているため、収容物を充填後に中蓋を装着した際、充填液の飛散部分を極力広範囲に露出することができ、シャワー洗浄により、中蓋のフランジと容器本体の口頸部との間に飛散液を挟持残存させることを極力防止できるとい特徴がある。
【００１５】
上記洗浄領域拡大用の凹陥部２４を、フランジ２２の基端部下面を除くフランジ２２の外周縁下面全周にわたって環状に形成された環状凹陥部２４ａとして構成し、上記係止手段を、洗浄領域拡大用の凹陥部２４形成部分以外のフランジ２２基端部下面と、該フランジ２２基端部下面を当接係止させる口頸部１１上面とで構成した場合には、口頸部１１の内周縁部を除く口頸部１１の上面を全周にわたって露出させることができ、シャワー洗浄による飛散液の洗浄をより広範囲に行なえるという特徴がある。
【００１６】
上記洗浄領域拡大用の凹陥部２４を、フランジ２２の基端部下面を除くフランジ２２の外周縁下面全周にわたって放射状に形成した複数の放射状凹陥部２４ｂとして構成し、上記係止手段を、洗浄領域拡大用の凹陥部２４形成部分以外のフランジ２２基端部下面及び各放射状凹陥部２４ｂ間のフランジ２２下面と、これら洗浄領域拡大用の凹陥部２４形成部分以外のフランジ２２下面を当接係止させる口頸部１１上面とで構成した場合には、同様に充填液の飛散部分を極力広範囲に露出することができ、シャワー洗浄により、中蓋のフランジと容器本体の口頸部との間に飛散液を挟持残存させることを極力防止できるとともに、洗浄領域拡大用の凹陥部２４形成部分以外のフランジ２２基端部下面及び各放射状凹陥部２４ｂ間のフランジ２２下面を、口頸部１１上面に当接係止させることができるため、フランジ２２をより安定した状態で口頸部１１上面に載置させることができる。
【００１７】
中蓋Ｂの頂板２１に変形防止用の凸部２６を形成した場合には、前記と同様、特に、高温の収容物を充填した際に、容器本体Ａ内の内圧が上昇して中蓋Ｂの頂板２１が外方へ膨出変形使用とするのを防止できる特徴がある。それに伴って中蓋Ｂのシール筒２０が口頸部１１から離間して、シール部分のシール性の低下を引き起こすこという不都合を防止でき、良好なシール性を維持できる。凸部２６の上面を、装着した外蓋頂壁３１下面に当接する如く構成することで、その効果はより増大する。
【００１８】
容器本体Ａ内に高温の収容物を充填後、中蓋Ｂを嵌着し、しかる後シャワー洗浄を行なう密閉容器として使用する場合に好適である。
【図面の簡単な説明】
【００１９】
【図１】密閉容器の一部切欠き正面図である。（第１実施例）
【図２】密閉容器の中蓋部分の要部拡大断面図である。（第１実施例）
【図３】図２の二点鎖線Ｘ部分の要部拡大断面図である。（第１実施例）
【図４】中蓋の拡大側面図である。（第１実施例）
【図５】中蓋の拡大平面図である。（第１実施例）
【図６】中蓋の拡大側面図である。（第２実施例）
【発明を実施するための形態】
【００２０】
以下、本発明の実施例の形態を図面を参照して説明する。
【００２１】
図１は本発明の密閉容器の第１実施例を示し、図中１は密閉容器を示す。
【００２２】
密閉容器１は、容器本体Ａと、中蓋Ｂと、外蓋Ｃとを備えている。
【００２３】
容器本体Ａは合成樹脂等により形成されたもので、筒状の胴部１０の上端に口頸部１１を起立して構成しており、口頸部１１外周に雄螺子１２を周設している。
【００２４】
中蓋Ｂは、口頸部１１に内嵌させて容器本体Ａに装着したもので、合成樹脂等により形成される。中蓋Ｂは、口頸部１１の内周に密嵌させるシール筒２０と、口頸部１１の上端開口を閉塞する頂板２１と、頂板２１外周縁より口頸部１１上に延設したフランジ２２とを一体に形成している。第１実施例では、係合突条２３を外周に突周設したシール筒２０を、頂板２１の下面外周部より垂設し、また、頂板２１外周縁からシール筒２０外周縁の上部に至る部分より、頂板２１より肉厚のフランジ２２を外方へ突設している。
【００２５】
本発明では、中蓋Ｂのフランジ２２下面に洗浄領域拡大用の凹陥部２４を形成している。該洗浄領域拡大用の凹陥部２４は、下面及び外面を開放して、容器本体Ａへの装着時に口頸部１１の上面を露出する構造となっている。第１実施例では、洗浄領域拡大用の凹陥部２４として、フランジ２２の基端部下面を除くフランジ２２の外周縁下面に、全周にわたって環状に形成した環状凹陥部２４ａを設けている。
【００２６】
また、中蓋Ｂは、口頸部１１に対するシール筒２０の所定嵌合位置での係止が可能な係止手段を備えている。第１実施例では係止手段として、洗浄領域拡大用の凹陥部２４形成部分以外のフランジ２２基端部下面と、該フランジ２２基端部下面を当接係止させる口頸部１１上面とで構成している。中蓋Ｂの装着時に両者が当接することで、シール筒２０が口頸部１１の所定の深さで嵌合し、牽いては中蓋Ｂが容器本体Ａに対して所定の嵌着位置で嵌着される。
【００２７】
第１実施例では、中蓋Ｂのフランジ２２の外周面に環状の突出部２５を設けている。この突出部２５は、洗浄領域拡大用の凹陥部２４の形成位置より上方のフランジ２２外周面より突設するもので、外蓋Ｃの周壁３０内周面に外周縁を当接或いは近接させて、後述する外蓋Ｃの周壁３０内周に突設した突条３３を、外蓋Ｃ装着時に弾性変形して容易に乗り越えさせるベンド性を備えている。
【００２８】
また、中蓋Ｂの頂板２１の上面中央部には、環状をなす変形防止用の凸部２６を突設している。この凸部２６は外蓋Ｃを装着した際に、後述する外蓋Ｃの頂壁３１下面に上面を当接する如く構成すると好ましい。
【００２９】
外蓋Ｃも合成樹脂等により形成され、口頸部１１に外嵌させて容器本体Ａに装着したもので、口頸部１１外周に螺着させる周壁３０の上端縁より頂壁３１を延設している。第１実施例では、周壁３０の内周に雌螺子３２を周設し、雌螺子３２の上方に突条３３を突周設している。また、外蓋Ｃを口頸部１１に装着した際に、シール筒２０内方の外蓋頂壁３１と中蓋頂板２１との間に隙間ｓが形成される如く構成している。第１実施例では、外蓋頂壁３１の周縁部に段部３４を形成し、その内方の頂壁３１下面に凹部３５を形成することで、外蓋Ｃ装着時に上記隙間ｓが形成される如く構成している。
【００３０】
また、第１実施例では、凹部３５外周の中蓋頂板２１上面に、エンボス加工、シボ加工、或いはマンセン状の小凸部を形成することで凹凸面ｆを形成し、この部分の中蓋Ｂと外蓋Ｃとの接触面積を極力少なくなる様に構成し、その結果蓋Ｃの容易な螺着が可能に構成している。尚、この凹凸面ｆは、中蓋Ｂに設ける場合に限らず、凹部３５外周の外蓋頂壁３１下面に同様の凹凸面ｆを形成しても良く、或いは中蓋頂板２１上面及び外蓋頂壁３１下面の両方に凹凸面ｆを設けることも可能である。
【００３１】
上記した密閉容器を使用する場合について説明すると。まず、容器本体Ａ内に、例えば酒等の液体を、例えば６０〜７０°程度の高温状態で充填した後、口頸部１１に対するシール筒２０の所定嵌合位置である、フランジ２２の基端部下面が口頸部１１上面に当接するまで中蓋Ｂを押し込み嵌着する。次いで、口頸部１１部分をシャワー洗浄を行なった後外蓋Ｃを装着する。
【００３２】
尚、中蓋Ｂに於ける洗浄領域拡大用の凹陥部２４は第１実施例のものに限らず、例えば、図６に示す如く、フランジ２２の基端部下面を除くフランジ２２の外周縁下面全周にわたって放射状に形成した複数の放射状凹陥部２４ｂとして構成しても良い。この場合の係止手段は第１実施例の場合と同様である。
【符号の説明】
【００３３】
１：密閉容器
Ａ：容器本体
１０…胴部、１１…口頸部、１２…雄螺子
Ｂ：中蓋
２０…シール筒、２１…頂板、２２…フランジ、２３…係合突条、
２４…洗浄領域拡大用の凹陥部、２４ａ…環状凹陥部、２４ｂ…放射状凹陥部          ２５…突出部、２６…凸部
Ｃ：外蓋
３０…周壁、３１…頂壁、３２…雌螺子、３３…突条、３４…段部、３５…凹部
ｓ：隙間
ｆ：凹凸面
【図１】
2014234180.tif 000003
【図２】
2014234180.tif 000004
【図３】
2014234180.tif 000005
【図４】
2014234180.tif 000006
【図５】
2014234180.tif 000007
【図６】
2014234180.tif 000008